(57)【特許請求の範囲】
【請求項１】
上方に向かって開口する防水膜材製の箱体と、それぞれ縦方向に延び、この箱体の側壁膜内面に沿う水平方向で複数枚並設され、この側壁膜内面に全体的に接触する剛性の側板と、上記箱体の底部膜に沿って延び、この底部膜の上面に全体的に接触する剛性の底板とを備え、上記各側板と底板とによって上記箱体が所定形状に保形され、その内部に被保護体を収容して水面上を浮遊可能であり、
上記箱体から外側方に向かって突出し、水面上に浮遊可能な板形状の浮体と、
上記浮体の上面から上方に突出する複数の突出体と、を備え、
上記浮体の基端部における下端部が上記箱体の下端部に連結され、この連結部を中心として上記浮体が下方回動可能であり、上記浮体の基端部における上部が上記箱体の側壁膜を介し上記側板に当接する一方、上記浮体の下方回動により、この浮体が上記箱体の底部膜の下面に重なったとき、上記各突出体が、ある水平な固定面上に上記側板および底板と共に上記箱体を載置させたときの足材となるよう構成されていることを特徴とする被保護体収容浮遊体。
【請求項２】
上記各突出体における上記側板側の端部がこの側板の近傍に位置していることを特徴とする請求項１に記載の被保護体収容浮遊体。
【発明の詳細な説明】
【技術分野】
【０００１】
本発明は、水害時などに、その内部に人や家財など保護されるべき被保護体を収容して、水面上に浮遊可能とされる被保護体収容浮遊体に関するものである。
【背景技術】
【０００２】
上記被保護体収容浮遊体には、従来、下記特許文献１に示されるものがある。この公報のものによれば、浮遊体は、内部に被保護体を収容し、密閉状態で浮遊可能とされる袋体であり、これにより、上記被保護体が水没しないよう保護されている。
【先行技術文献】
【特許文献】
【０００３】
【特許文献１】特開平１１−２９１７２号公報
【発明の概要】
【発明が解決しようとする課題】
【０００４】
ところで、上記従来の技術の浮遊体は袋体であることから、水面上に浮遊した浮遊体の内部を外部に開放した場合には、その内部の空気が水圧により直ちに排出されて、この浮遊体は容易に水没しがちとなる。このため、水害時に特に多く要求される作業であって、水面上を浮遊する浮遊体に対し被保護体を出し入れするという作業をするとき、上記浮遊体は容易に水没しがちとなることから、この浮遊体への被保護体の出し入れ作業は容易にはできないという問題点がある。
【０００５】
そこで、上記浮遊体に対し安定した浮力を与えるための浮体を設け、これにより、浮遊体を水面上に安定した状態で浮遊させて、この浮遊体への被保護体の出し入れ作業がより容易にできるようにすることが考えられる。しかし、単に、このようにすると、上記浮体を設けた分、浮遊体の全体的な形状が大きくなって、この浮遊体の持ち運びなど取り扱いが煩雑になると共に、浮遊体の不使用時などの収容時に、狭い収容空間への収容ができなくなるおそれが生じて好ましくない。
【課題を解決するための手段】
【０００６】
本発明は、上記のような事情に注目してなされたもので、本発明の目的は、災害時などにおいて、水面上に浮遊体を安定した状態で浮遊させることにより、この水面上を浮遊する浮遊体への被保護体の出し入れ作業が容易にできるようにし、かつ、浮遊体の持ち運びなど取り扱いが容易にできるようにすると共に、浮遊体の不使用時などの収容時に、この浮遊体を狭い収容室間に対し容易に収容できるようにすることである。
【０００７】
また、本発明の他の目的は、上記浮遊体が、陸上や船上などの水平な固定面上に載置されることにより、収納容器やベンチのように他の用途として利用できるようにすることである。
【０００８】
請求項１の発明は、上方に向かって開口する防水膜材製の箱体６と、それぞれ縦方向に延び、この箱体６の側壁膜７内面に沿う水平方向で複数枚並設され、この側壁膜７内面に全体的に接触する剛性の側板１０と、上記箱体６の底部膜８に沿って延び、この底部膜８の上面に全体的に接触する剛性の底板１１とを備え、上記各側板１０と底板１１とによって上記箱体６が所定形状に保形され、その内部に被保護体２を収容して水面３ａ上を浮遊可能であり、
上記箱体６から外側方に向かって突出し、水面３ａ上に浮遊可能な板形状の浮体２５と、
上記浮体２５の上面から上方に突出する複数の突出体２７と、を備え、
上記浮体２５の基端部２５ａにおける下端部が上記箱体６の下端部に連結され、この連結部３２を中心として上記浮体２５が下方回動Ａ可能であり、上記浮体２５の基端部２５ａにおける上部が上記箱体６の側壁膜７を介し上記側板１０に当接する一方、上記浮体２５の下方回動Ａにより、この浮体２５が上記箱体６の底部膜８の下面に重なったとき、上記各突出体２７が、ある水平な固定面２８上に上記側板１０および底板１１と共に上記箱体６を載置させたときの足材となるよう構成されていることを特徴とする被保護体収容浮遊体である。
【００１１】
請求項２の発明は、上記各突出体２７における上記側板１０側の端部がこの側板１０の近傍に位置していることを特徴とする請求項１に記載の被保護体収容浮遊体である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、上方に向かって開口する防水膜材製の箱体と、それぞれ縦方向に延び、この箱体の側壁膜内面に沿う水平方向で複数枚並設され、この側壁膜内面に全体的に接触する剛性の側板と、上記箱体の底部膜に沿って延び、この底部膜の上面に全体的に接触する剛性の底板とを備え、上記各側板と底板とによって上記箱体が所定形状に保形され、その内部に被保護体を収容して水面上を浮遊できるようにしている。
【００１５】
このため、上記浮遊体は上方に向かって開口したまま、水面上に浮遊した状態に保持される。よって、災害時など、水面上を浮遊する浮遊体への被保護体の出し入れ作業は容易にできる。
【００１６】
また、上記箱体から外側方に向かって突出し、水面上に浮遊可能な浮体を設けている。
【００１７】
このため、上記水面上を浮遊する箱体がローリングやピッチングすることは上記浮体により防止され、この浮体は上記箱体を安定して浮遊させるためのスタビライザとして働く。よって、水面上を浮遊する浮遊体への被保護体の出し入れ作業時に、上記浮遊体が不安定に作動することが防止されて、上記出し入れ作業がより容易にできる。
【００１８】
また、上記水面上を流動してきた何らかの物体が上記箱体に衝突しようとするとき、これに先立ち、上記水面上に浮遊可能な上記浮体が上記物体と衝突してバンパーとして働くことから、上記した物体の衝突による箱体の損傷が防止される。
【００１９】
また、上記浮体を板形状とし、この浮体の基端部における下端部を上記箱体の下端部に連結し、この連結部を中心として上記浮体を下方回動可能にする一方、上記浮体の基端部における上部を上記箱体の側壁膜を介し上記側板に当接させている。
【００２０】
このため、上記浮体に与えられる浮力によって、この浮体が上記連結部を中心として上方回動しようとすることは、上記したように、浮体の基端部の上部が上記側板に当接することによって規制される。よって、上記浮体は箱体と一体化された状態となって、この箱体のスタビライザとして効果的に働くことから、浮遊体への被保護体の出し入れ作業はより容易にできる。
【００２１】
一方、上記連結部を中心とした浮体の下方回動が可能なことから、この下方回動により、この浮体を上記箱体の底部膜の下面に重ねるなど沿わせてやれば、上記浮遊体をコンパクトにすることができる。よって、このように浮遊体をコンパクトにしてやれば、この浮遊体の持ち運びなど取り扱いが容易にできると共に、浮遊体の不使用時などの収容時には、この浮遊体を狭い収容空間に容易に収容できる。
【００２２】
また、上記浮体の上面から上方に突出する複数の突出体を設け、上記浮体の下方回動により、この浮体を上記箱体の底部膜の下面に重ねたとき、上記各突出体が、ある水平な固定面上に上記側板および底板と共に上記箱体を載置させたときの足材となるようにしている。
【００２３】
このため、陸上や船上などの水平な固定面上に浮遊体を載置させれば、上記各突出体間の空間により上記浮遊体下部の通気性を確保できて、黴の発生を防止できる。よって、上記浮遊体の側板および底板で保形された箱体はそのまま収納容器として利用できる。また、この状態から、上記浮遊体の箱体の上端開口を開閉可能に閉じると共に上記側板に支持される蓋体を設ければ、この浮遊体は、閉じた空間を有する収納容器として利用でき、かつ、上記蓋体の上面の利用によりベンチとしても利用できる。つまり、上記突出体を設けたことにより、浮遊体の利用度が向上する。
【００２４】
請求項２の発明は、上記各突出体における上記側板側の端部をこの側板の近傍に位置させている。
【００２５】
このため、上記したように、浮体に与えられる浮力によって、この浮体が上記連結部を中心として上方回動しようとすることは、上記した浮体の基端部の上部が上記側板に当接することによって規制されることに加えて、上記各突出体の端部が側板に当接することによっても規制される。よって、上記浮体は箱体とより一体化された状態となって、この箱体のスタビライザとしてより効果的に働くことから、浮遊体への被保護体の出し入れ作業は更に容易にできる。
【図面の簡単な説明】
【００２６】
【図１】全体側面図である。
【図２】全体平面図である。
【図３】正面部分破断図である。
【図４】全体斜視図である。
【図５】全体正面作用説明図である。
【発明を実施するための形態】
【００２７】
本発明の被保護体収容浮遊体に関し、災害時などにおいて、水面上に浮遊体を安定した状態で浮遊させることにより、この水面上を浮遊する浮遊体への被保護体の出し入れ作業が容易にできるようにし、かつ、浮遊体の持ち運びなど取り扱いが容易にできるようにすると共に、浮遊体の不使用時などの収容時に、この浮遊体を狭い収容室間に対し容易に収容できるようにする、という目的を実現するため、本発明を実施するための形態は、次の如くである。
【００２８】
即ち、被保護体収容浮遊体は、上方に向かって開口する防水膜材製の箱体と、それぞれ縦方向に延び、この箱体の側壁膜内面に沿う水平方向で複数枚並設され、この側壁膜内面に全体的に接触する剛性の側板と、上記箱体の底部膜に沿って延び、この底部膜の上面に全体的に接触する剛性の底板とを備えている。上記各側板と底板とによって上記箱体が所定形状に保形される。このように形成された浮遊体は、その内部に被保護体を収容して水面上を浮遊できることとされる。また、上記箱体から外側方に向かって突出し、水面上に浮遊可能な浮体を設けている。
【実施例】
【００２９】
本発明をより詳細に説明するために、その実施例を添付の図に従って説明する。
【００３０】
図において、符号１は浮遊体であり、この浮遊体１は、水害時などに、その内部に人や家財など保護されるべき被保護体２を収容して、洪水などの水３の水面３ａ上に浮遊可能とされるものである。
【００３１】
上記浮遊体１は、全体として直方体形状をなし上方に向かって開口する防水膜材製の箱体６を備えている。この箱体６は、その平面視で長方形の枠形状とされる側壁膜７と、この側壁膜７の下端開口を密閉するようこの側壁膜７の下端縁部に結合される長方形状の底部膜８とを備えている。また、上記側壁膜７は、箱体６の平面視で各短辺部を構成する一対の短辺側壁膜７ａと、各長辺部を構成する一対の長辺側壁膜７ｂとを備えている。上記箱体６は、所定寸法の防水膜材を互いに熱溶着により結合することにより、一体的に形成されている。
【００３２】
上記箱体６を形成する膜材は、汎用のテント等に用いられるものであって、繊維織物の両面を合成樹脂でコーティングしたものである。この樹脂は、熱溶着による接合が可能な熱可塑性樹脂のポリ塩化ビニル（ＰＶＣ）、エチレン酢酸ビニル共重合体（ＥＶＡ）、ポリウレタン（ＰＵ）などとされる。
【００３３】
上記浮遊体１は、それぞれ縦方向に延び、上記箱体６の側壁膜７内面に沿う水平方向で複数枚（４枚）並設され、この側壁膜７内面に全体的に接触する剛性の側板１０と、上記箱体６の底部膜８に沿って延び、上記各側板１０の下端部で囲まれた平面視で長方形状の空間に密嵌状に嵌入されると共に上記底部膜８の上面に全体的に接触する剛性で長方形状の底板１１とを備えている。
【００３４】
具体的には、上記側板１０は、箱体６の平面視で各短辺部を構成する一対の短辺側板１０ａと、各長辺部を構成する一対の長辺側板１０ｂとを備えている。
【００３５】
上記側板１０の各縦寸法は２００〜４００ｍｍ、底板１１の幅寸法×長さ寸法は５００×１８００ｍｍ程度であり、これら側板１０と底板１１との各厚さ寸法は２０〜４０ｍｍ程度であって、３０ｍｍ程度にすることが好ましい。また、上記側板１０と底板１１とは、それぞれ水面３ａ上に浮遊可能な板本体１４と、この板本体１４を密閉状に覆うシート状の表皮体１５とを備えている。上記板本体１４は多孔性樹脂である発泡ポリスチレン製であり、上記表皮体１５は樹脂性のシート又は、上記箱体６と同様の材質を利用できるが、好ましくは低発泡ポリエチレンシートとされている。
【００３６】
上記各長辺側壁膜７ｂの上端縁部の内面に沿ってそれぞれ水平に延び、この内面に熱溶着や縫製等により固着される樹脂製の係止体１７が設けられている。この係止体１７は、上記長辺側壁膜７ｂの上端縁部の内面に固着される基板１８と、この基板１８から上記箱体６の内方に向かって一体的に突設される断面が倒立Ｌ字形状の一対の突条体１９とを備えている。上記基板１８と突条体１９との間には、下方に向かって開口する係止溝２０が形成され、この係止溝２０に対し、上記長辺側板１０ｂの上端縁部が嵌脱可能に嵌入されて、上記係止体１７に係止されている。また、上記係止体１７は上記各長辺側板１０ｂの上端縁部を補強し、これにより、この上端縁部は直線形状を保つよう保形されている。このため、上記長辺側板１０ｂを上記長辺側壁膜７ｂに固定する際、固定位置がずれることなく容易に位置決めをすることが可能となる。
【００３７】
また、上記箱体６の側壁膜７の各部を上記側板１０に着脱可能に固着させる面ファスナーである固着具２２が設けられている。
【００３８】
ここで、上記箱体６の幅方向とは、浮遊体１の平面視（図２）で、側壁膜７の短辺側壁膜７ａと側板１０の短辺側板１０ａとにそれぞれ沿った方向であり、これを換言すれば、側壁膜７の長辺側壁膜７ｂと側板１０の長辺側板１０ｂとのそれぞれ厚さ方向である。また、上記箱体６の長手方向とは、浮遊体１の平面視（図２）で、側壁膜７の長辺側壁膜７ｂと側板１０の長辺側板１０ｂとにそれぞれ沿った方向であり、これを換言すれば、側壁膜７の短辺側壁膜７ａと側板１０の長辺側板１０ｂとのそれぞれ厚さ方向である。
【００３９】
上記箱体６の下端部から、この箱体６の幅方向における外側方に向かって突出し、水面３ａ上に浮遊可能な左右一対の浮体２５，２５が設けられている。上記各浮体２５は、水平方向に延びる板形状とされ、前記側板１０や底板１１と同様に板本体１４と表皮体１５とを備えている。上記浮体２５の幅寸法は８０〜４００ｍｍ、厚さ寸法は４０〜６０ｍｍであって、上記側板１０や底板１１よりも厚くされ、５０ｍｍ程度にすることが好ましい。
【００４０】
上記各浮体２５の上面からそれぞれ上方に突出する突出体２７が設けられている。これら各突出体２７は、上記箱体６の長手方向で所定間隔をあけて複数（３本）設けられている。上記各突出体２７は上記箱体６の幅方向で、上記浮体２５の全幅にわたって延び、その長手方向の各部断面は矩形とされ、互いに同形同大とされている。具体的には、上記各突出体２７の高さ寸法は上記浮体２５の厚さ寸法の０．５〜１．５倍が好ましい。また、上記各突出体２７の構造、材質は上記側板１０や底板１１と同様のものとされている。上記各突出体２７は、上記各浮体２５を補強してこれら各浮体２５の剛性を向上させている。
【００４１】
特に図５で示すように、上記各浮体２５の下方回動Ａにより、これら浮体２５を上記箱体６の底部膜８の下面に重ねたとき、上記各突出体２７は、ある水平な固定面２８上に上記側板１０および底板１１と共に上記箱体６を載置させたときの足材として働くこととされている。
【００４２】
また、上記各突出体２７における上記側板１０の長辺側板１０ｂの厚さ方向でのこの長辺側板１０ｂ側の端部が、この長辺側板１０ｂの近傍に位置させられている。この場合、上記各突出体２７の端部は上記表皮体１５を介し上記長辺側板１０ｂに当接していてもよく、わずかの隙間をあけて離れていてもよい。
【００４３】
上記浮体２５における上記箱体６側の端部が上記浮体２５の基端部２５ａに相当する。この浮体２５の基端部２５ａにおける下端部の表皮体１５は、上記箱体６の下端部の外面である底部膜８の下面に熱溶着により連結され、この連結部３２を中心として上記浮体２５が下方回動Ａ可能とされる。一方、上記浮体２５の基端部２５ａにおける上部は、上記箱体６の側壁膜７を介し上記側板１０に当接させられている。これにより、上記浮体２５は、上記箱体６の下端部から外側方に向かって突出した姿勢から、上記連結部３２を中心として自由に上方回動しようとすることが規制されている。
【００４４】
上記箱体６の上端開口を開閉可能に閉じるカバー体３４が設けられる。このカバー体３４は、上記側壁膜７の上端縁部に取り付けられた複数（４つ）の係止具３５と、これら各係止具３５に着脱可能に架設される一対の弾性のカバーフレーム３６，３６と、これらカバーフレーム３６，３６と上記箱体６とをその上方から取り外し可能に覆うと共に、上記カバーフレーム３６，３６に支持されるカバーシート３７とを備えている。
【００４５】
上記カバーフレーム３６は、上記箱体６の上端開口を跨ぎ、上方に凸の円弧形状となるよう上記各係止具３５に架設される。また、上記両カバーフレーム３６，３６は、平面視で互いに交差するよう設置される。上記カバーシート３７は樹脂製で、防水性かつ透明とされている。
【００４６】
そして、上記各側板１０、底板１１、係止体１７、および固着具２２によって、上記箱体６が所定の直方体形状に保形される。このように形成された浮遊体１は、その内部に被保護体２を収容して、水面３ａ上を浮遊できることとされている。また、上記箱体６と共に水面３ａ上に浮遊可能な上記各浮体２５は、上記箱体６が特にローリングすることを防止し、この箱体６のスタビライザとして働く。
【００４７】
上記浮遊体１の不使用時に、これをコンパクトに収納しようとする場合には、図１，３，４中一点鎖線、もしくは図５で示すように、上記各連結部３２を中心として上記各浮体２５を下方回動Ａさせ、上記箱体６の底部膜８の下面に当接させればよい。
【００４８】
上記構成によれば、上方に向かって開口する防水膜材製の箱体６と、それぞれ縦方向に延び、この箱体６の側壁膜７内面に沿う水平方向で複数枚並設され、この側壁膜７内面に全体的に接触する剛性の側板１０と、上記箱体６の底部膜８に沿って延び、この底部膜８の上面に全体的に接触する剛性の底板１１とを備え、上記各側板１０と底板１１とによって上記箱体６が所定形状に保形され、その内部に被保護体２を収容して水面３ａ上を浮遊できるようにしている。
【００４９】
このため、上記浮遊体１は上方に向かって開口したまま、水面３ａ上に浮遊した状態に保持される。よって、災害時など、水面３ａ上を浮遊する浮遊体１への被保護体２の出し入れ作業は容易にできる。
【００５０】
また、前記したように、箱体６から外側方に向かって突出し、水面３ａ上に浮遊可能な浮体２５を設けている。
【００５１】
このため、上記水面３ａ上を浮遊する箱体６がローリングやピッチングすることは上記浮体２５により防止され、この浮体２５は上記箱体６を安定して浮遊させるためのスタビライザとして働く。よって、水面３ａ上を浮遊する浮遊体１への被保護体２の出し入れ作業時に、上記浮遊体１が不安定に作動することが防止されて、上記出し入れ作業がより容易にできる。
【００５２】
また、上記水面３ａ上を流動してきた何らかの物体が上記箱体６に衝突しようとするとき、これに先立ち、上記水面３ａ上に浮遊可能な上記浮体２５が上記物体と衝突してバンパーとして働くことから、上記した物体の衝突による箱体６の損傷が防止される。
【００５３】
また、前記したように、浮体２５を板形状とし、この浮体２５の基端部２５ａにおける下端部を上記箱体６の下端部に連結し、この連結部３２を中心として上記浮体２５を下方回動Ａ可能にする一方、上記浮体２５の基端部２５ａにおける上部を上記箱体６の側壁膜７を介し上記側板１０に当接させている。
【００５４】
このため、上記浮体２５に与えられる浮力によって、この浮体２５が上記連結部３２を中心として上方回動しようとすることは、上記したように、浮体２５の基端部２５ａの上部が上記側板１０に当接することによって規制される。よって、上記浮体２５は箱体６と一体化された状態となって、この箱体６のスタビライザとして効果的に働くことから、浮遊体１への被保護体２の出し入れ作業はより容易にできる。
【００５５】
一方、上記連結部３２を中心とした浮体２５の下方回動Ａが可能なことから、この下方回動Ａにより、この浮体２５を上記箱体６の底部膜８の下面に重ねるなど沿わせてやれば（図１，３，４中一点鎖線、および図５）、上記浮遊体１をコンパクトにすることができる。よって、このように浮遊体１をコンパクトにしてやれば、この浮遊体１の持ち運びなど取り扱いが容易にできると共に、浮遊体１の不使用時などの収容時には、この浮遊体１を狭い収容空間に容易に収容できる。なお、上記箱体６の底部膜８の下面に上記浮体２５を重ねたとき、上記底部膜８の下面に上記浮体２５を面ファスナーなどで固着させてもよい。
【００５６】
また、前記したように、浮体２５の上面から上方に突出する複数の突出体２７を設け、上記浮体２５の下方回動Ａにより、この浮体２５を上記箱体６の底部膜８の下面に重ねたとき、上記各突出体２７が、ある水平な固定面２８上に上記側板１０および底板１１と共に上記箱体６を載置させたときの足材となるようにしている。
【００５７】
このため、陸上や船上などの水平な固定面２８上に浮遊体１を載置させれば、上記各突出体２７間の空間により上記浮遊体１下部の通気性を確保できて、黴の発生を防止できる。よって、上記浮遊体１の側板１０および底板１１で保形された箱体６はそのまま収納容器として利用できる。また、この状態から、図５で示すように、上記浮遊体１の箱体６の上端開口を開閉可能に閉じると共に上記側板１０に支持される蓋体４０を設ければ、この浮遊体１は、閉じた空間を有する収納容器として利用でき、かつ、上記蓋体４０の上面の利用によりベンチとしても利用できる。この場合、この蓋体４０をクッション材製にすれば、より好ましい。つまり、上記突出体２７を設けたことにより、浮遊体１の利用度が向上する。
【００５８】
また、前記したように、各突出体２７における上記側板１０側の端部をこの側板１０の近傍に位置させている。
【００５９】
このため、上記したように、浮体２５に与えられる浮力によって、この浮体２５が上記連結部３２を中心として上方回動しようとすることは、上記した浮体２５の基端部２５ａの上部が上記側板１０に当接することによって規制されることに加えて、上記各突出体２７の端部が側板１０に当接することによっても規制される。よって、上記浮体２５は箱体６とより一体化された状態となって、この箱体６のスタビライザとしてより効果的に働くことから、浮遊体１への被保護体２の出し入れ作業は更に容易にできる。
【００６０】
なお、上記各突出体２７が各浮体２５の上方回動を規制するものでない場合には、上記各突出体２７の端部を上記側板１０の近傍に位置させる必要はなく、これら各突出体２７の端部と上記側板１０との間に大きい隙間を設けてもよい。
【００６１】
図５において、上記した箱体６、側板１０、および底板１１の組み合わせ体と、これに支持される蓋体４０とをその上方から一体的に覆って、これら６，１０，１１，４０同士の位置ずれを防止する膜材製の他のカバー体４１が設けられる。この他のカバー体４１は下方に向かって開口する直方体箱形状とされ,この他のカバー体４１の材質は上記箱体６と同様の材質とされる。
【００６２】
なお、以上は図示の例によるが、上記側板１０、底板１１、浮体２５は、上記板本体１４のみで構成してもよく、中空の防水性樹脂板で形成してもよく、上記側板１０と底板１１とは一体的に形成してもよい。また、上記表皮体１５は上記板本体１４の少なくとも一面のみを覆うものであってもよい。
【００６３】
また、上記側壁膜７に固着される側板１０、好ましくは上記長辺側壁膜７ｂに固着される上記長辺側板１０ｂは、これら７ｂ，１０ｂを互いに着脱不可に固着して一体化してもよい。
【００６４】
また、上記短辺側壁膜７ａの上端縁部の内面に上記係止体１７を固着させてもよい。また、上記係止体１７と固着具２２とはいずれか一方のみを設けてもよい。具体的には、上記係止体７を用いない場合は、上記固着具２２のみで、上記側板１０を上記側壁膜７にを固着させてもよい。
【００６５】
また、上記浮体２５は、上記箱体６の短辺側板１０ａの下部から外側方に向かって突出するよう設けてもよい。また、上記浮体２５の基端部２５ａにおける下端部の底部膜８への連結位置を、上記下端部の端から浮体２５の厚さの1/2以上、より好ましくは浮体２５の厚さ以上だけ箱体６の下端部の外縁部から内側にしてもよい。このように連結すれば、上記浮体２５の下方回動Ａが、より円滑にできる。
【００６６】
また、上記箱体６の幅方向における上記各浮体２５の幅寸法は、それぞれ上記箱体６の幅寸法の１／２未満で、この１／２に近い寸法にすることが好ましい。このようにすれば、上記各浮体２５の下方回動Ａにより、これら浮体２５を上記箱体６の底部膜８の下面に重ねたとき、上記各浮体２５は上記箱体６の下面を全体的に覆うこととなる。このため、上記各浮体２５によって箱体６の底部膜８の剛性を向上させたり、上記側板１０や底板１１を補強したりすることができる。よって、上記浮遊体１を収納容器やベンチのように他の用途として利用する場合に、強度上有益である。
【００６７】
また、上記突出体２７は、浮遊体１の平面視で、多角形や円形として、各浮体２５の上面に対し、箱体６の長手方向に千鳥状に配置してもよく、碁盤目状に配置してもよい。
【００６８】
また、上記側板１０や係止体１７に孔を設け、この孔に上記カバーフレーム３６の端部を嵌入させて係止させてやれば、上記各係止具３５を不要として、上記各カバーフレーム３６を側板１０に架設することが可能となる。また、上記カバー体３４は設けなくてもよい。
【符号の説明】
【００６９】
１    浮遊体
２    被保護体
３    水
３ａ  水面
６    箱体
７    側壁膜
８    底部膜
１０  側板
１１  底板
２５  浮体
２５ａ  基端部
２７  突出体
２８  水平な固定面
３２  連結部
３４  カバー体
４０  蓋体
４１  他のカバー体
Ａ    下方回動
【図１】
0005829075.tif 000002
【図２】
0005829075.tif 000003
【図３】
0005829075.tif 000004
【図４】
0005829075.tif 000005
【図５】
0005829075.tif 000006